(57)【要約】【課題】部品点数の削減により低コスト化を図って電磁シールド機能を達成する。【解決手段】電気的導通性を有する材料により形成されてカメラ本体１１を保持して装置側搭載部８に係止され、接地電位の可動側フロントケース４に接触するカメラシールド構造体１３を備えることで、カメラ本体１１を保持して装置側搭載部８に係止させる機能と電磁ノイズの発生源となり得るカメラ本体１１を電磁シールドする機能とを一つのカメラシールド構造体１３で兼用可能とし、よって、部品点数の削減が可能で、低コスト化を図ることができるようにした。【選択図】        図３
2007180218.tif 000002
【特許請求の範囲】
【請求項１】
装置側搭載部に搭載された撮像装置を備える携帯端末装置であって、
電気的導通性を有する材料により形成されて前記撮像装置を保持して前記装置側搭載部に係止され、接地電位の装置筐体に接触する撮像装置保持部品を備えることを特徴とする携帯端末装置。
【請求項２】
前記撮像装置保持部品および前記装置側搭載部は、該撮像装置保持部品を該装置側搭載部に係止させるための嵌合構造を備えることを特徴とする請求項１に記載の携帯端末装置。
【請求項３】
前記撮像装置保持部品は、前記装置筐体に弾性的に接触するばね構造を有することを特徴とする請求項１または２に記載の携帯端末装置。
【請求項４】
前記撮像装置保持部品は、前記撮像装置の底部および側面を覆う底面部および側面部を有する断面コの字形状に形成され、
前記撮像装置保持部品の前記底面部と前記撮像装置の底部との間に介在される底上げ部品を備えることを特徴とする請求項１〜３のいずれか一つに記載の携帯端末装置。
【請求項５】
携帯端末装置の装置側搭載部に搭載される携帯端末装置用撮像装置ユニットであって、
撮像装置ＩＣを含む撮像装置本体と、
電気的導通性を有する材料により形成されて前記撮像装置本体を保持して前記装置側搭載部に係止され、接地電位の装置筐体に接触する撮像装置保持部品と、
を備えることを特徴とする携帯端末装置用撮像装置ユニット。
【発明の詳細な説明】
【技術分野】
【０００１】
本発明は、撮像装置付き携帯電話機のような携帯端末装置および携帯端末装置用撮像装置ユニットに関するものであり、特に電磁ノイズ対策の必要な画素数の多い撮像装置を備える携帯端末装置および携帯端末装置用撮像装置ユニットに関するものである。
【背景技術】
【０００２】
近年、広く普及しているカメラ付き携帯電話機のカメラは、ＣＣＤ（電荷結合デバイス）等の固体撮像素子と対物レンズとを一体化してなるカメラＩＣを、他のチップ部品とともにセラミック基板上に実装し、かつ、装置本体側の主基板との電気的接続を確保するためのフレキシブルケーブル等を備えてカメラユニットとして構成されている。このようなカメラユニットの装置本体に対する組付けに関しては、例えば特許文献１，２等による提案例がある。
【０００３】
図５は、従来のカメラ付き携帯電話機におけるカメラユニット組付け例を示す概略的な縦断側面図である。図５は、キー側の固定側筐体と表示部側の可動側筐体とが折り畳み自在に連結されたカメラ付き携帯電話機の可動側筐体の連結部付近の構造を示すもので、可動側筐体１００は、ＬＣＤホルダ１０１により保持されたＬＣＤ（液晶表示装置）１０２が配置される可動側フロントケース１０３と、折り畳み状態で外面側に位置する可動側リアケース１０４との組合せによる２分割構造からなる。ここで、カメラＩＣ等を主体として構成されたカメラ本体１０５は、カメラ本体１０５の形状に合わせて断面略コ字状に形成された樹脂製のカメラホルダ１０６に保持されて可動側フロントケース１０３の連結部側部位に設定された装置側搭載部１０３ａに配設され、可動側フロントケース１０３と対をなす可動側リアケース１０４を組付けてカメラ本体１０５を押え付けることにより組付け固定される。１０７は、カメラホルダ１０６の底面部の外面側に設けられたスポンジ等の緩衝部材である。また、１０８は、外面側に向けて組付けられたカメラ本体１０５による撮影を可能とするために可動側リアケース１０４の一部に取り付けられた透明なカメラパネルである。さらに、１０９は、可動側フロントケース１０３に形成されたＬＣＤ１０２用の開口部１０３ｂを視認可能に閉塞するＬＣＤパネルである。
【０００４】
【特許文献１】特開２００４−１７２７９０号公報
【特許文献２】特開２００４−２００９４４号公報
【発明の開示】
【発明が解決しようとする課題】
【０００５】
ここで、携帯電話機は、小型化・高性能化に伴い、電磁ノイズによる問題が深刻化しており、カメラ付き携帯電話機の場合、内蔵のカメラユニットは、電磁ノイズの影響を受けるだけでなく自身も電磁ノイズを発生するため、カメラ動作時に発生する電磁ノイズは、例えば携帯電話機のアンテナの受信感度低下の一因ともなっている。特に、近年では内蔵されるカメラ（ＣＣＤ）の画素数の増加により一層の高性能化が進んでおり、これに伴い電磁ノイズ対策が必須となってきている。
【０００６】
そこで、従来にあっては、図５に示すように、電磁ノイズの発生源となるカメラ本体１０５を保持しているカメラホルダ１０６の外周面を銅箔テープ１１０で覆い、この銅箔テープ１１０を接地電位の金属製の可動側フロントケース１０３に対して導電性クッション材からなるシールドフォーム１１１を介して電気的に接続させ、銅箔テープ１１０を筐体接地電位にしてシールドすることで、放射される電磁ノイズを抑制するようにしている。銅箔テープ１１０に代えて、カメラホルダ１０６周りに別のシールド板金を設ける例や、特許文献１に示されるように導電体により表面がめっきされたシールドホルダを用いる例もある。
【０００７】
しかしながら、従来の電磁ノイズ対策は、カメラ本体を保持して固定するための構造（例えば、カメラホルダ１０６）とは別部品である銅箔テープ１１０やシールド板金のようなノイズ対策部品を追加したり、導電体めっきのようなノイズ対策処理を施したりする必要がある。これにより、部品点数の増加や処理工程の増加が生じ、装置コストが増加してしまい、小型化・省スペース化にも不利となる欠点がある。
【０００８】
本発明は、上記に鑑みてなされたものであって、部品点数の削減により低コスト化を図って電磁シールド機能を達成し得る携帯端末装置および携帯端末装置用撮像装置ユニットを提供することを目的とする。
【課題を解決するための手段】
【０００９】
上述した課題を解決し、目的を達成するために、請求項１の発明に係る携帯端末装置は、装置側搭載部に搭載された撮像装置を備える携帯端末装置であって、電気的導通性を有する材料により形成されて前記撮像装置を保持して前記装置側搭載部に係止され、接地電位の装置筐体に接触する撮像装置保持部品を備えることを特徴とする。
【００１０】
請求項２の発明に係る携帯端末装置は、請求項１の発明において、前記撮像装置保持部品および前記装置側搭載部は、該撮像装置保持部品を該装置側搭載部に係止させるための嵌合構造を備えることを特徴とする。
【００１１】
請求項３の発明に係る携帯端末装置は、請求項１または２の発明において、前記撮像装置保持部品は、前記装置筐体に弾性的に接触するばね構造を有することを特徴とする。
【００１２】
請求項４の発明に係る携帯端末装置は、請求項１〜３のいずれか一つの発明において、前記撮像装置保持部品は、前記撮像装置の底部および側面を覆う底面部および側面部を有する断面コの字形状に形成され、前記撮像装置保持部品の前記底面部と前記撮像装置の底部との間に介在される底上げ部品を備えることを特徴とする。
【００１３】
請求項５の発明に係る携帯端末装置用撮像装置ユニットは、携帯端末装置の装置側搭載部に搭載される携帯端末装置用撮像装置ユニットであって、撮像装置ＩＣを含む撮像装置本体と、電気的導通性を有する材料により形成されて前記撮像装置本体を保持して前記装置側搭載部に係止され、接地電位の装置筐体に接触する撮像装置保持部品と、を備えることを特徴とする。
【発明の効果】
【００１４】
請求項１の発明によれば、電気的導通性を有する材料により形成されて撮像装置を保持して装置側搭載部に係止され、接地電位の装置筐体に接触する撮像装置保持部品を備えるので、撮像装置を保持して装置側搭載部に係止させる機能と電磁ノイズの発生源となり得る撮像装置を電磁シールドする機能とを一つの撮像装置保持部品で兼用することができ、よって、部品点数の削減が可能で、低コスト化を図ることができるという効果を奏する。
【００１５】
請求項２の発明によれば、撮像装置保持部品および装置側搭載部が、該撮像装置保持部品を該装置側搭載部に係止させるための嵌合構造を備えるので、ねじや両面テープのような固定用の別部品を必要とせずに撮像装置保持部品を装置側搭載部に確実かつ簡単に位置決め係止させることができ、より一層の部品点数の削減が可能で、低コスト化を図ることができ、組立て性も向上させることができるという効果を奏する。
【００１６】
請求項３の発明によれば、撮像装置保持部品が、接地電位の装置筐体に弾性的に接触するばね構造を有するので、別部品を介することなく、撮像装置保持部品を装置筐体に確実に接触させて筐体接地をとることができ、確実に電磁シールド機能を発揮させることができるという効果を奏する。
【００１７】
請求項４の発明によれば、撮像装置の底部および側面を覆う底面部および側面部を有する断面コの字形状に形成された撮像装置保持部品の底面部と撮像装置の底部との間に介在される底上げ部品を備えるので、撮像装置保持部品により保持される撮像装置の高さ位置を底上げ部品によって調整することができ、よって、従来の保持専用の肉厚の厚い撮像装置ホルダを用いる場合との互換性を持たせることができ、撮像装置保持部品を従来構造品にも適用することが可能となるという効果を奏する。
【００１８】
請求項５の発明によれば、電気的導通性を有する材料により形成されて撮像装置本体を保持して装置側搭載部に係止され、接地電位の装置筐体に接触する撮像装置保持部品を備えるので、撮像装置本体を保持して装置側搭載部に係止させる機能と電磁ノイズの発生源となり得る撮像装置本体を電磁シールドする機能とを一つの撮像装置保持部品で兼用することができ、よって、部品点数の削減が可能で、低コスト化を図ることができるという効果を奏する。
【発明を実施するための最良の形態】
【００１９】
以下に添付図面を参照して、この発明に係る携帯端末装置および携帯端末装置用撮像装置ユニットの好適な実施の形態を詳細に説明する。なお、この実施の形態によりこの発明が限定されるものではない。
【実施例】
【００２０】
本実施例は、撮像装置として例えばカメラを用いるものであり、携帯端末装置としてカメラ付き携帯電話機への適用例を示す。図１は、本発明の実施例のカメラ付き携帯電話機におけるカメラユニット組付け例を示す外観斜視図であり、図２は、その分解斜視図であり、図３は、図１のＡ−Ａ線部分の断面図である。図１および図３は、各種キー類を備える固定側筐体と表示部側となる可動側筐体とがヒンジ構造により折り畳み自在に連結されたカメラ付き携帯電話機の可動側筐体の連結部付近の構造を示すもので、可動側筐体１は、ＬＣＤホルダ２により保持されたＬＣＤ（液晶表示装置）３が配置される可動側フロントケース４と、折り畳み状態で外面側に位置する可動側リアケース５との組合せによる２分割構造からなる。可動側フロントケース４は、端部にヒンジ構造の一部をなすヒンジ部６を備える。また、可動側フロントケース４は、ＬＣＤ３の表示画面を外部に対して視認可能に露出するための開口部４ａを有し、この開口部４ａは、透明なＬＣＤパネル７により閉塞されている。
【００２１】
ここで、可動側フロントケース４は、導電性を有する金属製のもので、可動側筐体１に内蔵される回路基板（図示せず）の接地端子と電気的に接続されることにより、当該携帯電話機のＧＮＤをとるための接地電位の装置筐体を構成している。また、可動側フロントケース４内のヒンジ部６側付近の端部は、ＬＣＤホルダ２の端部とともに、カメラユニット（撮像装置ユニット）１０を搭載するための凹状の装置側搭載部８として形成されている。
【００２２】
カメラユニット１０は、撮像装置本体としてのカメラ本体１１とカメラ保持枠体１２と撮像装置保持部品としてのカメラシールド構造体１３とからなる。カメラ本体１１は、ＣＣＤ等の固体撮像素子と対物レンズとを一体化してなるカメラＩＣ（撮像装置ＩＣ）を、他のチップ部品とともにセラミック基板１４上に実装し、回路基板側との電気的接続を確保するためのフレキシブルケーブル１５を底面側から側方へ引き出した構造からなる。カメラ保持枠体１２は、カメラ本体１１の外周形状、サイズに合わせて形成された四角い枠形状のもので、カメラ本体１１の周囲を保護するよう嵌合される。なお、図３では、カメラ保持枠体１２を含めてカメラ本体１１として図示している。
【００２３】
カメラシールド構造体１３は、電気的導通性を有する材料、例えば銅板またはステンレス板により形成された板金構造体である。図４は、カメラシールド構造体１３の構成を拡大して示す斜視図である。カメラシールド構造体１３は、カメラ本体１１（カメラ保持枠体１２を含む）を保持して装置側搭載部８に係止させるとともにカメラ本体１１から放射される電磁ノイズをシールドするためのものであり、カメラ本体１１（カメラ保持枠体１２を含む）の形状、サイズに対応させてその底部および可動側筐体１の長手方向に位置する両側面を覆う底面部１３ａと一対の側面部１３ｂとを一体に有する断面コの字形状に形成されている。
【００２４】
ここで、カメラシールド構造体１３および装置側搭載部８は、カメラシールド構造体１３を装置側搭載部８に係止させるための嵌合構造１６を備える。この嵌合構造１６は、装置側搭載部８の内壁面に形成された一対の突起８ａと、カメラシールド構造体１３の一対の側面部１３ｂにそれぞれ形成されて突起８ａに嵌合する孔１３ｃとの組合せよりなる。孔１３ｃは、この孔１３ｃが突起８ａに確実に係止するように側面部１３ｂにおいて上下方向の切り込みにより分離形成されて外方へ拡開させることでばね性を持たせた係止片１３ｄ部分に形成されている。また、この係止片１３ｄ部分は、孔１３ｃ部分と一体に切り欠いて形成した舌片１３ｅを外方へ屈曲させることにより形成してなる屈曲板ばね構造のばね構造部分を備える。
【００２５】
さらに、本実施例のカメラユニット１０は、カメラシールド構造体１３の底面部１３ａの外面側に貼付け等により取り付けられたスポンジ等の絶縁性の緩衝部材１７と、底面部１３ａの内面側とカメラ本体１１の底部との間に介在されるように底面部１３ａの内面側に貼付け等により取り付けられたスポンジあるいはゴム等の絶縁性の緩衝材料からなる底上げ部品１８とを備える。緩衝部材１７は、カメラユニット１０およびカメラシールド構造体１３を、機械的衝撃に対する緩衝効果を持たせて装置側搭載部８に係止させるためのものである。底上げ部品１８は、カメラ本体１１の底部に配設されているフレキシブルケーブル１５と板金製のカメラシールド構造体１３との間の電気的絶縁性を確保するとともに、従来の肉厚の厚いカメラホルダ１０６と本実施例の肉厚の薄いカメラシールド構造体１３との肉厚の差分を調整してカメラシールド構造体１３により保持されたカメラ本体１１の高さ位置を図５のカメラホルダ１０６を用いる従来構造品の場合と同じになるように揃えるためのものである。
【００２６】
また、可動側リアケース５は、装置側搭載部８に外面側に向けて組付けられたカメラ本体１１の撮影を可能とするための開口部５ａを有し、この開口部５ａは透明なカメラパネル１９により閉塞されている。さらに、装置側搭載部８（可動側フロントケース５）の可動側リアケース５との境界部分には、係止片１３ｄ部分が接触可能な導電性クッション材によるシールドフォーム２０を備える。
【００２７】
本実施例のカメラ付き携帯電話機は、カメラ本体１１にカメラ保持枠体１２を嵌合させ、かつ、カメラ本体１１（カメラ保持枠体１２を含む）の周囲を覆うように底上げ部品１８を有するカメラシールド構造体１３を嵌合させることでカメラユニット１０を構成し、このカメラユニット１０を可動側フロントケース４の装置側搭載部８に配設し、可動側フロントケース４と対をなす可動側リアケース５を組付けてカメラ本体１１を押え付けることにより組付け固定される。
【００２８】
ここで、カメラ本体１１を保持したカメラシールド構造体１３を装置側搭載部８に上方から挿入すると、カメラシールド構造体１３の側面部１３ｂの係止片１３ｄが弾性的に変形し、この係止片１３ｄに形成されている孔１３ｃが装置側搭載部８に形成されている突起８ａに嵌合し、カメラシールド構造体１３は装置側搭載部８に抜け止め状態に係止される。また、係止片１３部分に形成されている屈曲板ばね構造の舌片１３ｅは装置側搭載部８の内壁面、すなわち、可動側フロントケース４に弾性的に直接接触する。ここで、カメラシールド構造体１３は、電気的導電性を有する材料により形成されており、金属製で接地電位の可動側フロントケース４に直接接触することにより、カメラシールド構造体１３も筐体接地電位に維持される。このようにカメラ本体１１を保持してその周囲を覆うカメラシールド構造体１３が、筐体接地電位に維持されることで、電磁ノイズの発生源となり得るカメラ本体１１が放射する電磁ノイズを抑制する電磁シールド機能が発揮される。
【００２９】
上述してきたように、本実施例では、電気的導通性を有する材料により形成されてカメラ本体１１を覆うように保持して装置側搭載部８に係止され、接地電位の可動側フロントケース４に接触するカメラシールド構造体１３を備えるので、カメラ本体１１を保持して装置側搭載部８に係止させる機能と電磁ノイズの発生源となり得るカメラ本体１１を電磁シールドする機能とを一つのカメラシールド構造体１３で兼用することができ、よって、部品点数の削減が可能で、低コスト化を図ることができる。
【００３０】
また、本実施例では、カメラシールド構造体１３および装置側搭載部８が、該カメラシールド構造体１３を該装置側搭載部８に係止させるための嵌合構造１６を備えるので、ねじや両面テープのような固定用の別部品を必要とせずにカメラシールド構造体１６を装置側搭載部８に確実かつ簡単に位置決め係止させることができ、より一層の部品点数の削減が可能で、低コスト化を図ることができ、組立て性も向上させることができる。
【００３１】
さらに、本実施例では、カメラシールド構造体１３が、接地電位の可動側フロントケース４に弾性的に接触するばね構造の舌片１３ｅを有するので、別部品を介することなく、カメラシールド構造体１３を可動側フロントケース４に確実に接触させて筐体接地をとることができ、電磁シールド機能を確実に発揮させることができる。
【００３２】
さらに、本実施例では、カメラ本体１１の底部および側面を覆う底面部１３ａおよび側面部１３ｂを有する断面コの字形状に形成されたカメラシールド構造体１３の底面部１３ａとカメラ本体１１の底部との間に介在される底上げ部品１８を備えるので、カメラシールド構造体１３により保持されるカメラ本体１１の高さ位置を底上げ部品１８の厚みによって調整することができる。よって、図５に示したような従来の保持専用のカメラホルダ１０６を用いる場合との互換性を持たせることができ、可動側フロントケースを突起８ａ付きのものとするだけで本実施例のカメラユニット１０を従来構造品にも適用することが可能となる。また、底上げ部品１８は、絶縁性を有する緩衝材料からなるので、カメラ本体１１の底部に配設されているフレキシブルケーブル１５と板金製のカメラシールド構造体１３との間の電気的絶縁性を確実に確保することができる。
【００３３】
なお、本実施例では、装置側搭載部８を可動側筐体１のＬＣＤ３位置より基部（ヒンジ部６）側位置に設定したが、このような位置に限らず、例えば可動側筐体１のＬＣＤ３位置より先端部側位置に設定してもよい。
【００３４】
（付記１）装置側搭載部に搭載された撮像装置を備える携帯端末装置であって、
電気的導通性を有する材料により形成されて前記撮像装置を保持して前記装置側搭載部に係止され、接地電位の装置筐体に接触する撮像装置保持部品を備えることを特徴とする携帯端末装置。
【００３５】
（付記２）前記撮像装置保持部品および前記装置側搭載部は、該撮像装置保持部品を該装置側搭載部に係止させるための嵌合構造を備えることを特徴とする付記１に記載の携帯端末装置。
【００３６】
（付記３）前記撮像装置保持部品は、前記装置筐体に弾性的に接触するばね構造を有することを特徴とする付記１または２に記載の携帯端末装置。
【００３７】
（付記４）前記撮像装置保持部品は、前記撮像装置の底部および側面を覆う底面部および側面部を有する断面コの字形状に形成されていることを特徴とする付記１〜３のいずれか一つに記載の携帯端末装置。
【００３８】
（付記５）前記撮像装置保持部品の前記底面部と前記撮像装置の底部との間に介在される底上げ部品を備えることを特徴とする付記４に記載の携帯端末装置。
【００３９】
（付記６）携帯端末装置の装置側搭載部に搭載される携帯端末装置用撮像装置ユニットであって、
撮像装置ＩＣを含む撮像装置本体と、
電気的導通性を有する材料により形成されて前記撮像装置本体を保持して前記装置側搭載部に係止され、接地電位の装置筐体に接触する撮像装置保持部品と、
を備えることを特徴とする携帯端末装置用撮像装置ユニット。
【００４０】
（付記７）前記撮像装置保持部品は、該撮像装置保持部品を前記装置側搭載部に係止させるための嵌合構造の一方を備えることを特徴とする付記６に記載の携帯端末装置用撮像装置ユニット。
【００４１】
（付記８）前記撮像装置保持部品は、前記装置筐体に弾性的に接触するばね構造を有することを特徴とする付記６または７に記載の携帯端末装置用撮像装置ユニット。
【００４２】
（付記９）前記撮像装置保持部品は、前記撮像装置本体の底部および側面を覆う底面部および側面部を有する断面コの字形状に形成されていることを特徴とする付記６〜８のいずれか一つに記載の携帯端末装置用撮像装置ユニット。
【００４３】
（付記１０）前記撮像装置保持部品の前記底面部と前記撮像装置本体の底部との間に介在される底上げ部品を備えることを特徴とする付記９に記載の携帯端末装置用撮像装置ユニット。
【産業上の利用可能性】
【００４４】
以上のように、本発明に係る携帯端末装置および携帯端末装置用撮像装置ユニットは、撮像装置付き携帯電話機に有用であり、特に、電磁ノイズ対策が必須となる画素数の多い撮像装置を搭載する場合に適している。
【図面の簡単な説明】
【００４５】
【図１】本発明の実施例のカメラ付き携帯電話機におけるカメラユニット組付け例を示す外観斜視図である。
【図２】図１の分解斜視図である。
【図３】図１のＡ−Ａ線部分の断面図である。
【図４】カメラシールド構造体の構成を拡大して示す斜視図である。
【図５】従来のカメラ付き携帯電話機におけるカメラユニット組付け例を示す概略的な縦断側面図である。
【符号の説明】
【００４６】
４  可動側フロントケース
８  装置側搭載部
１０  カメラユニット
１１  カメラ本体
１３  カメラシールド構造体
１３ａ  底面部
１３ｂ  側面部
１３ｃ  孔
１３ｅ  ばね構造の舌片
１６  嵌合構造
１８  底上げ部品
【図１】
2007180218.tif 000003
【図２】
2007180218.tif 000004
【図３】
2007180218.tif 000005
【図４】
2007180218.tif 000006
【図５】
2007180218.tif 000007